(57)【要約】      （修正有）【課題】小さい木材パーツ及び強度の低い木材パーツも、簡便に接続可能な木材接続具、及び、その木材接続具を介して接続された木材パーツ組を提供する。【解決手段】第１面に当該第１面に沿った第１方向に延びる第１溝が形成された第１木材パーツ８０と、第２面に当該第２面に沿った第２方向に延びる第２溝が形成された第２木材パーツ６０と、を接続するように構成された木材接続具１であって、弾性材料によって構成され、圧縮された状態で第１溝に嵌合することによって第１溝に装着されるように構成された第１嵌合部４と、弾性材料によって構成され、圧縮された状態で第２溝に嵌合することによって第２溝に装着されるように構成された第２嵌合部３と、第１嵌合部と第２嵌合部とを接続し、第１嵌合部と第２嵌合部との相対位置を予め設定された所定の相対位置に維持するように構成された接続部２と、を備える。【選択図】図２
0003217485.tif 000002
【実用新案登録請求の範囲】
【請求項１】
第１面に当該第１面に沿った第１方向に延びる第１溝が形成された第１木材パーツと、第２面に当該第２面に沿った第２方向に延びる第２溝が形成された第２木材パーツと、を接続するように構成された木材接続具であって、
弾性材料によって構成され、圧縮された状態で前記第１溝に嵌合することによって前記第１溝に装着されるように構成された第１嵌合部と、
弾性材料によって構成され、圧縮された状態で前記第２溝に嵌合することによって前記第２溝に装着されるように構成された第２嵌合部と、
前記第１嵌合部と前記第２嵌合部とを接続し、前記第１嵌合部と前記第２嵌合部との相対位置を予め設定された所定の相対位置に維持するように構成された接続部と、
を備えた木材接続具。
【請求項２】
請求項１に記載の木材接続具であって、
前記接続部は、弾性材料によって構成され、圧縮された状態で前記第１溝又は前記第２溝に嵌合することによって前記第１溝又は前記第２溝に装着可能に構成された木材接続具。
【請求項３】
請求項２に記載の木材接続具であって、
前記接続部は、コイル状に巻かれた線状のバネ材を用いて構成され、前記バネ材が前記コイルの軸に沿って圧縮されたとき、当該バネ材が前記第１嵌合部と共に前記第１溝に嵌合可能に構成された木材接続具。
【請求項４】
請求項１〜３のいずれか１項に記載の木材接続具であって、
前記第１嵌合部は、Ｕ字状に折り曲げられた線状のバネ材を用いて構成され、当該第１嵌合部に外力が加わらない状態では、前記折り曲げられた箇所から離れるに従って前記バネ材同士の間隔が広がるように構成された木材接続具。
【請求項５】
第１面に当該第１面に沿った第１方向に延びる第１溝が形成された第１木材パーツと、
第２面に当該第２面に沿った第２方向に延びる第２溝が形成された第２木材パーツと、
前記第１木材パーツと前記第２木材パーツとを接続した請求項１〜４のいずれか１項に記載の木材接続具と、
を備えた木材パーツ組。
【請求項６】
請求項５に記載の木材パーツ組であって、
前記木材接続具は、請求項４に記載の木材接続具であり、
前記第１溝は、前記第１面の端縁まで達することにより、前記第１木材パーツにおける前記第１面と交差する側面に開口している木材パーツ組。
【請求項７】
請求項６に記載の木材パーツ組であって、
前記第１溝の内壁面には、前記第１方向に沿って、前記第１嵌合部を構成するバネ材を受け入れる少なくとも１つの凹部が形成された木材パーツ組。
【請求項８】
請求項７に記載の木材パーツ組であって、
前記第１嵌合部は、当該第１嵌合部を構成するバネ材の少なくとも１つの端部を含み、
前記凹部の少なくとも１つは、前記側面に開口せず、かつ、前記端部を受け入れ可能な範囲で、前記内壁面に形成された木材パーツ組。
【考案の詳細な説明】
【技術分野】
【０００１】
本開示は、複数の木材パーツを接続する木材接続具、及び、その木材接続具を介して接続された木材パーツ組に関する。
【背景技術】
【０００２】
従来、２つの木材パーツを接続する木材接続具が、種々提案されている。例えば、特許文献１には、一方の木材パーツにボルトナットを介して取り付けられる受金具と、他方の木材パーツにピンを介して取り付けられる挿入金具とを備えた木材接続具が開示されている。この木材接続具では、工場において、一方の木材パーツにボルトナットを介して受け金具を取り付けると共に、他方の木材パーツにピンを介して挿入金具を取り付けておき、建築現場において挿入金具が受金具に挿入されると、２つの木材パーツが接続される。
【先行技術文献】
【特許文献】
【０００３】
【特許文献１】特開平９−１５８３３５号公報
【考案の概要】
【考案が解決しようとする課題】
【０００４】
しかしながら、木材パーツが小さかったり、木材パーツの強度が低かったりする場合、木材パーツに金具をボルトナット又はピンで固定することが困難で、特許文献１に記載の木材接続具を適用できないことがある。また、接続強度は特許文献１に記載の木材接続具より低くてもよいので、一層簡便に木材パーツの接続が可能であることが望ましい場合もある。
【０００５】
本開示の１つの局面は、特許文献１に記載の木材接続具に比べて小さい木材パーツ及び強度の低い木材パーツも接続可能で、かつ、特許文献１に記載の木材接続具に比べて一層簡便に木材パーツの接続が可能な木材接続具、及び、その木材接続具を介して接続された木材パーツ組を提供することにある。
【課題を解決するための手段】
【０００６】
本開示の一態様による木材接続具は、第１面に当該第１面に沿った第１方向に延びる第１溝が形成された第１木材パーツと、第２面に当該第２面に沿った第２方向に延びる第２溝が形成された第２木材パーツと、を接続するように構成された木材接続具であって、第１嵌合部と第２嵌合部と接続部とを備える。
【０００７】
第１嵌合部は、弾性材料によって構成され、圧縮された状態で前記第１溝に嵌合することによって前記第１溝に装着されるように構成されている。第２嵌合部は、弾性材料によって構成され、圧縮された状態で前記第２溝に嵌合することによって前記第２溝に装着されるように構成されている。接続部は、前記第１嵌合部と前記第２嵌合部とを接続し、前記第１嵌合部と前記第２嵌合部との相対位置を予め設定された所定の相対位置に維持するように構成されている。
【０００８】
このような構成によれば、弾性材料によって構成された第１嵌合部を圧縮して、第１木材パーツにおける第１溝に嵌合させれば、当該第１嵌合部は第１溝に装着される。同様に、弾性材料によって構成された第２嵌合部を圧縮して、第２木材パーツにおける第２溝に嵌合させれば、当該第２嵌合部は第２溝に装着される。
【０００９】
また、第１嵌合部と第２嵌合部とは、接続部を介して接続されることにより、相対位置を予め設定された所定の相対位置に維持されている。このため、前述のように第１嵌合部を第１溝に嵌合させ、かつ、第２嵌合部を第２溝に嵌合させることにより、第１木材パーツと第２木材パーツとを前記相対位置に応じた位置関係で接続することができる。
【００１０】
また、本開示の木材接続具によれば、第１木材パーツに第１溝を形成し、第２木材パーツに第２溝を形成すれば、第１木材パーツと第２木材パーツとを接続することができるので、小さい木材パーツ及び強度の低い木材パーツも良好に接続可能である。また、第１嵌合部を第１溝に嵌合させ、第２嵌合部を第２溝に嵌合させれば、第１木材パーツと第２木材パーツとを接続することができるので、簡便に木材パーツの接続ができる。
【００１１】
なお、本開示の木材接続具において、前記接続部は、弾性材料によって構成され、圧縮された状態で前記第１溝又は前記第２溝に嵌合することによって前記第１溝又は前記第２溝に装着可能に構成されてもよい。その場合、弾性材料によって構成された接続部も、圧縮して第１溝又は第２溝に嵌合させれば、当該接続部は第１溝又は第２溝に装着される。このため、第１木材パーツと第２木材パーツとを、一層強固に接続することができる。
【００１２】
そして、その場合、前記接続部は、コイル状に巻かれた線状のバネ材を用いて構成され、前記バネ材が前記コイルの軸に沿って圧縮されたとき、当該バネ材が前記第１嵌合部と共に前記第１溝に嵌合可能に構成されてもよい。その場合、第１嵌合部と一体に接続部を第１溝に嵌合させることができるので、木材パーツの接続が一層容易になる。また、コイル状に巻かれた線状のバネ材を用いることにより接続部の構成を簡略化することができる。
【００１３】
また、本開示の木材接続具において、前記第１嵌合部は、Ｕ字状に折り曲げられた線状のバネ材を用いて構成され、当該第１嵌合部に外力が加わらない状態では、前記折り曲げられた箇所から離れるに従って前記バネ材同士の間隔が広がるように構成されてもよい。その場合、前記折り曲げられた箇所を先端にして第１溝に挿入することによって第１嵌合部を第１溝に嵌合させれば、第１嵌合部を構成するバネ材に第１溝の壁面から加わる応力は徐々に増加し、当該嵌合を円滑に行うことができる。
【００１４】
また、本開示の一態様による木材パーツ組は、第１木材パーツと、第２木材パーツと、木材接続具とを備える。第１木材パーツは、第１面に当該第１面に沿った第１方向に延びる第１溝が形成されている。第２木材パーツは、第２面に当該第２面に沿った第２方向に延びる第２溝が形成されている。木材接続具は、前述のいずれかに記載の木材接続具である。
【００１５】
このため、第１木材パーツ又は第２木材パーツが小さい木材パーツであったり強度の低い木材パーツであったりする場合も、木材接続具を介して良好に接続して木材パーツ組とすることができる。また、第１嵌合部を第１溝に嵌合させ、第２嵌合部を第２溝に嵌合させれば、第１木材パーツと第２木材パーツとを接続して木材パーツ組とすることができるので、当該木材パーツ組の製造も容易である。
【００１６】
なお、本開示の木材パーツ組において、前記木材接続具は、Ｕ字状に折り曲げられた線状のバネ材を用いて構成された第１嵌合部を有する木材接続具であり、前記第１溝は、前記第１面の端縁まで達することにより、前記第１木材パーツにおける前記第１面と交差する側面に開口していてもよい。その場合、第１溝における側面に開口した箇所から、前記折り曲げられた箇所を先端にして第１嵌合部を第１溝に嵌合させれば、当該嵌合を一層円滑に行うことができる。
【００１７】
そして、その場合、前記第１溝の内壁面には、前記第１方向に沿って、前記第１嵌合部を構成するバネ材を受け入れる少なくとも１つの凹部が形成されていてもよい。その場合、第１溝の内壁面に形成された凹部に第１嵌合部を構成するバネ材が受け入れられることにより、第１溝に対する第１嵌合部の装着状態を一層安定化することができ、延いては、第１木材パーツと第２木材パーツとの接続状態を一層安定化することができる。
【００１８】
そして、その場合更に、前記第１嵌合部は、当該第１嵌合部を構成するバネ材の少なくとも１つの端部を含み、前記凹部の少なくとも１つは、前記側面に開口せず、かつ、前記端部を受け入れ可能な範囲で、前記内壁面に形成されてもよい。その場合、側面に開口していない凹部に受け入れられた端部は、第１嵌合部を前記側面方向に引き出そうとする力が木材接続具に加わったとき、前記凹部における前記側面側の内壁面に係合して前記力に対抗する。このため、第１溝に対する第１嵌合部の装着状態を更に一層安定化することができ、延いては、第１木材パーツと第２木材パーツとの接続状態を更に一層安定化することができる。
【図面の簡単な説明】
【００１９】
【図１】第１実施形態の木材パーツ組の構成を表す斜視図である。
【図２】前記木材パーツ組の構成を表す分解斜視図である。
【図３】第２実施形態の木材パーツ組における第１木材パーツの構成を表す図で、（Ａ）は平面図、（Ｂ）は側面図である。
【図４】第３実施形態の木材パーツ組における第１木材パーツの構成を表す平面図である。
【考案を実施するための形態】
【００２０】
以下、図面を参照しながら、本開示を実施するための形態を説明する。なお、以下の説明においては、必要に応じて上下左右前後の方向を定義して説明を行う。但し、これらの各方向は、木材パーツ又は木材接続具を構成する各部の相対的な位置関係を簡潔に説明するために規定した方向にすぎない。実際に木材パーツ又は木材接続具を利用するに当たって、木材パーツ又は木材接続具がどのような方向に向けられるかは任意であり、例えば、以下に定義する上下方向が重力との関係で鉛直方向とは一致しない状態で使用されてもかまわない。
【００２１】
［１．第１実施形態］
［１−１．木材パーツの構成］
図１に示す第１実施形態の木材パーツ組１００は、第１木材パーツ８０と、第２木材パーツ６０と、木材接続具１と、を備えている。先ず、第１木材パーツ８０について説明する。第１木材パーツ８０は、単一の木材を切断及び切削することによって構成され、全体として概略直方体状に構成されている。図２に示すように、第１木材パーツ８０における互いに反対側に露出した端面８２と端面８３とには、雄実部８５と第１雌実部８６とがそれぞれ形成されている。
【００２２】
端面８２，８３は長方形状に構成され、それぞれの長辺に沿った方向が図示した矢印Ａの方向（第１方向の一例）と平行となるように配置されている。雄実部８５は、端面８２から当該端面８２に対して垂直に突出し、かつ、矢印Ａの方向に沿って連続する凸状に構成されている。以下、端面８３から端面８２に向かう方向、すなわち雄実部８５が突出した方向を前方向ともいう。
【００２３】
第１雌実部８６は、矢印Ａの方向に沿って連続する凹溝状（厳密には前方に切り込んだ矩形の溝状）に、端面８３に形成されている。また、雄実部８５及び第１雌実部８６は、端面８２，８３における矢印Ａの方向に沿った全域に亘って設けられている。雄実部８５及び第１雌実部８６は、第１雌実部８６に他の同様の第１木材パーツ８０における雄実部８５が嵌合可能で、かつ、その嵌合時には接着剤等を使用しなくても当該嵌合が容易に外れるのを抑制可能な幅とされている。
【００２４】
ここで、第１木材パーツ８０における端面８２，８３と直交し、かつ、矢印Ａの方向に延びる直線と平行な外周面のうち、図１における手前側の面を、上面８７（第１面の一例）とする。上面８７から雄実部８５までの間隔と上面８７から第１雌実部８６までの間隔とは互いに等しい。すなわち、雄実部８５を第１雌実部８６に嵌合させて複数の第１木材パーツ８０が接続されたとき、各第１木材パーツ８０の上面８７が同一平面上に配設されるように、雄実部８５及び第１雌実部８６が配置されている。
【００２５】
また、雄実部８５における上面８７側の面は、上面８７を直方体状に切り欠いて形成された切欠き部８８と連接されることにより、端面８２よりも後方に延びている。第１雌実部８６における上面８７側の内壁面は、上面８７を後方に延長して形成された雄実部８９における第１雌実部８６側の面と連接されている。
【００２６】
雄実部８５を第１雌実部８６に嵌合させることによって、複数の第１木材パーツ８０を、上面８７を揃えて実継ぎすると、切欠き部８８に雄実部８９が嵌合して相じゃくり継ぎされるように、切欠き部８８及び雄実部８９の大きさが設計されている。また、上面８７には、矢印Ａの方向に沿って連続する第２雌実部９１が形成されている。第２雌実部９１は、上面８７を当該上面８７に対して垂直に矩形に切り込んだ凹溝状に形成されている。また、第２雌実部９１の前方には、当該第２雌実部９１と同様の凹溝状に構成された第３雌実部９２が、当該第２雌実部９１と平行して形成されている。なお、第２雌実部９１及び第３雌実部９２は、いずれも第１溝の一例に対応する。
【００２７】
一方、第１木材パーツ８０における端面８２，８３と直交し、かつ、矢印Ａの方向に延びる直線と平行な外周面のうち、上面８７とは反対側の下面９３は、雌実部を形成されず滑らかな平面状に構成されている。また、第１木材パーツ８０における外周面のうち、端面８２、端面８３、上面８７及び下面９３と直交する２つの面を、側面９４，９５とする。
【００２８】
第２木材パーツ６０も、第１木材パーツ８０と同一形状に構成されている。すなわち、第２木材パーツ６０も、第１木材パーツ８０と同様に、端面６２，６３、雄実部６５、第１雌実部６６、上面６７（第２面の一例）、切欠き部６８、雄実部６９、第２雌実部７１、第３雌実部７２、下面７３、側面７４，７５を備える。なお、第２木材パーツ６０における端面６２，６３の長辺に沿った矢印Ｂの方向が第２方向の一例に対応する。
【００２９】
［１−２．木材接続具の構成］
木材接続具１は、接続部２と、第２嵌合部３と、第１嵌合部４とを備える。接続部２は、線状のバネ材における長手方向中央部を、コイル状に巻いて構成されている。また、この接続部２は、前記コイルの軸（以下、単に軸）に沿った方向の長さが、外力が加わらない状態において、第２雌実部７１，９１及び第３雌実部７２，９３の幅（すなわち、前後方向の長さ）よりも大きく設計され、軸に沿って圧縮することで第２雌実部７１，９１又は第３雌実部７２，９３に嵌合可能とされている。なお、前記コイルの直径は、第２雌実部７１，９１及び第３雌実部７２，９３の深さよりも大きく設計されてもよく、前記深さと同一に設計されてもよく、前記深さよりも小さく設計されてもよい。
【００３０】
第２嵌合部３は、前記バネ材における第１端部１Ａを前記軸と平行な面内で接続部２の近傍まで折り返すことによって構成されており、当該バネ材が折り曲げられた箇所（以下、先端３１）では、バネ材はＵ字状に折り曲げられている。また、第２嵌合部３は、外力が加わらない状態では、先端３１から接続部２に向かうに従って、バネ材同士の間隔（すなわち、先端３１と接続部２との間のバネ材３２と、先端３１と第１端部１Ａとの間のバネ材３３との間隔）が広がるように構成されている。また、バネ材３２，３３の間隔は、少なくとも最も広い部分が第２雌実部７１，９１及び第３雌実部７２，９３の幅よりも広く構成され、当該間隔が縮まるように圧縮されることにより、第２嵌合部３は第２雌実部７１又は第３雌実部７２に嵌合可能となる。
【００３１】
同様に、第１嵌合部４は、前記バネ材における第２端部１Ｂを前記軸と平行でかつ前記面と直交する面内で接続部２の近傍まで折り返すことによって構成されており、当該バネ材が折り曲げられた箇所（以下、先端４１）では、バネ材はＵ字状に折り曲げられている。また、第１嵌合部４は、外力が加わらない状態では、先端４１から接続部２に向かうに従って、バネ材同士の間隔（すなわち、先端４１と接続部２との間のバネ材４２と、先端４１と第２端部１Ｂとの間のバネ材４３との間隔）が広がるように構成されている。また、バネ材４２，４３の間隔は、少なくとも最も広い部分が第２雌実部７１，９１及び第３雌実部７２，９３の幅よりも広く構成され、当該間隔が縮まるように圧縮されることにより、第１嵌合部４は第２雌実部９１又は第３雌実部９２に嵌合可能となる。また、第１嵌合部４と第２嵌合部３とは、接続部２の軸回りに９０°変位した方向を向くように、接続部２に連接されている。
【００３２】
このため、例えば、第２嵌合部３を先端３１から、矢印Ｂに沿って第３雌実部７２に側面７５側から嵌合させ、第１嵌合部４を先端４１から、矢印Ａに沿って第３雌実部９２に側面９４側から嵌合させると、図１に示すような木材パーツ組１００を製造することができる。図１に示すように、木材パーツ組１００は、第１木材パーツ８０と第２木材パーツ７０とを木材接続具１を介して接続した構成を有している。
【００３３】
［１−３．効果］
以上詳述した第１実施形態によれば、以下の効果を奏する。
（１Ａ）第１嵌合部４を圧縮して、第１木材パーツ８０における第２雌実部９１又は第３雌実部９２に嵌合させれば、第１嵌合部４は第２雌実部９１又は第３雌実部９２に装着される。同様に、第２嵌合部３を圧縮して、第２木材パーツ６０における第２雌実部７１又は第３雌実部７２に嵌合させれば、第２嵌合部３は第２雌実部７１又は第３雌実部７２に装着される。また、第１嵌合部４と第２嵌合部３とは、接続部２を介して接続されることにより、９０°変位した相対位置に維持されている。このため、前述のように第１嵌合部４を例えば第３雌実部９２に嵌合させ、かつ、第２嵌合部３を第３雌実部７２嵌合させることにより、第１木材パーツ８０と第２木材パーツ６０とを直角に交わる位置関係で接続することができる。
【００３４】
（１Ｂ）また、本第１実施形態の木材接続具１によれば、第１木材パーツ８０に第２雌実部９１又は第３雌実部９２を形成し、第２木材パーツ６０に第２雌実部７１又は第３雌実部７２を形成すれば、第１木材パーツ８０と第２木材パーツ６０とを接続することができるので、小さい木材パーツ及び強度の低い木材パーツも良好に接続可能である。また、第１嵌合部４を第２雌実部９１又は第３雌実部９２に嵌合させ、第２嵌合部３を第２雌実部７１又は第３雌実部７２に嵌合させれば、第１木材パーツ８０と第２木材パーツ６０とを接続することができるので、簡便に木材パーツの接続ができる。
【００３５】
（１Ｃ）また、本第１実施形態では、接続部２も、軸に沿って圧縮された状態で第２雌実部７１，９１又は第３雌実部７２，９２に嵌合することによって当該雌実部に装着される。このため、第１木材パーツ８０と第２木材パーツ６０とを、一層強固に接続することができる。また、第１嵌合部４又は第２嵌合部３と一体に接続部２を第２雌実部７１，９１又は第３雌実部７２，９２に嵌合させることができるので、第１木材パーツ８０と第２木材パーツ６０との接続が一層容易になる。また、コイル状に巻かれた線状のバネ材を用いることにより接続部２の構成を簡略化することができる。
【００３６】
（１Ｄ）また、本第１実施形態では、第１嵌合部４及び第２嵌合部３は、外力が加わらない状態では、先端４１又は３１から離れるに従ってバネ材同士の間隔が広がるように構成されている。このため、先端４１又は３１から第２雌実部９１若しくは７１又は第３雌実部９２若しくは７２に挿入することによって第１嵌合部４又は第２嵌合部３を嵌合させれば、第１嵌合部４又は第２嵌合部３を構成するバネ材に雌実部壁面から加わる応力は徐々に増加し、当該嵌合を円滑に行うことができる。
【００３７】
（１Ｅ）また、第２雌実部７１，９１及び第３雌実部７２，９２は、上面６７，８７の端縁まで達することにより側面７４，７５，９４，９５に開口している。このため、第２雌実部７１，９１又は第３雌実部７２，９２における側面７４，９４，７５又は９５に開口した箇所から、第２嵌合部３又は第１嵌合部４を先端３１又は４１から嵌合させれば、当該嵌合を一層円滑に行うことができる。
【００３８】
［２．第２実施形態］
［２−１．第１実施形態との相違点］
第２実施形態は、基本的な構成は第１実施形態と同様であるため、相違点について以下に説明する。なお、第１実施形態と同じ符号は、同一の構成を示すものであって、先行する説明を参照する。前述した第１実施形態では、第２雌実部７１，９１及び第３雌実部７２，９２を、単純な矩形断面の溝とした。これに対し、第２実施形態では、図３に示すように、第２雌実部９１及び第３雌実部９２の底部内壁面に、前後それぞれの側に凹部９１Ａ又は凹部９２Ａが形成された点で第１実施形態と相違する。各凹部９１Ａ，９１Ａ，９２Ａ，９２Ａは、第１木材パーツ８０の側面９４から矢印Ａの方向に沿って、第１嵌合部４を構成するバネ材の全体を受け入れる長さに形成されている。
【００３９】
［２−２．効果］
以上詳述した第２実施形態によれば、前述した第１実施形態の効果（１Ａ）〜（１Ｅ）を奏し、更に、以下の効果を奏する。
【００４０】
（２Ａ）第２雌実部９１又は第３雌実部９２の底部内壁面に形成された凹部９１Ａ，９１Ａ又は９２Ａ，９２Ａに第１嵌合部４を構成するバネ材が受け入れられることにより、第２雌実部９１又は第３雌実部９２に対する第１嵌合部４の装着状態を一層安定化することができる。このため、第１木材パーツ８０と第２木材パーツ６０との接続状態を一層安定化することができる。なお、このような凹部９１Ａ，９２Ａは、第２木材パーツ６０にも形成されてもよく、第２木材パーツ６０にのみ形成されてもよい。
【００４１】
［３．第３実施形態］
［３−１．第１実施形態との相違点］
第３実施形態は、基本的な構成は第２実施形態と同様であるため、相違点について以下に説明する。なお、第２実施形態と同じ符号は、同一の構成を示すものであって、先行する説明を参照する。前述した第２実施形態では、凹部９１Ａ，９１Ａ，９２Ａ，９２Ａは第１木材パーツ８０の側面９４に開口して形成された。これに対し、第３実施形態では、図４に示すように、凹部９１Ａ，９１Ａ，９２Ａ，９２Ａは、側面９４にも側面９５にも開口しない点で相違する。なお、凹部９１Ａ，９１Ａ，９２Ａ，９２Ａは、第１嵌合部４における先端４１から第２端部１Ｂに到る部分を受け入れ可能な長さに、第２雌実部９１及び第３雌実部９２の底部内壁面に形成されている。
【００４２】
［３−２．効果］
以上詳述した第３実施形態によれば、前述した第１実施形態の効果（１Ａ）〜（１Ｅ）及び第２実施形態の効果（２Ａ）を奏し、更に、以下の効果を奏する。
【００４３】
（３Ａ）凹部９１Ａ又は９２Ａに受け入れられた第２端部１Ｂは、第１嵌合部４を側面９４方向に引き出そうとする力が木材接続具１に加わったとき、凹部９１Ａ又は９２Ａよりも側面９４側の壁部９１Ｂ又は９２Ｂに係合して前記力に対抗する。このため、第２雌実部９１又は第３雌実部９２に対する第１嵌合部４の装着状態を更に一層安定化することができ、延いては、第１木材パーツ８０と第２木材パーツ６０との接続状態を更に一層安定化することができる。なお、このような凹部９１Ａ，９２Ａは、第２木材パーツ６０にも形成されてもよく、第２木材パーツ６０にのみ形成されてもよい。
【００４４】
［４．他の実施形態］
以上、本開示を実施するための形態について説明したが、本開示は上述の実施形態に限定されることなく、種々変形して実施することができる。
【００４５】
（４Ａ）前記各実施形態では、第１嵌合部４と第２嵌合部３とは、接続部２の軸回りに９０°変位した方向を向くように、接続部２に連接されたが、これに限定されるものではない。例えば、第１嵌合部と第２嵌合部とは１８０°変位した方向を向くように接続部に接続されてもよく、その他の角度で変位した方向を向くように接続部に接続されてもよい。
【００４６】
（４Ｂ）前記各実施形態では、木材接続具１を１本の線状のバネ材によって構成したが、これに限定されるものではない。第１嵌合部、第２嵌合部及び接続部は複数のバネ材を組み合わせて構成されてもよく、第１嵌合部、第２嵌合部及び接続部の少なくとも１つはゴム等の他の弾性材料を用いて構成されてもよい。また、接続部は剛体を用いて構成されてもよい。
【００４７】
（４Ｃ）前記各実施形態では、第１溝（すなわち、第２雌実部９１及び第３雌実部９２）及び第２溝（すなわち、第２雌実部７１及び第３雌実部７２）を、それぞれ２つずつ設けたが、これに限定されるものではない。第１溝又は第２溝は１つであってもよく３つ以上設けられてもよい。
【００４８】
（４Ｄ）前記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、前記実施形態の構成の一部を省略してもよい。また、前記実施形態の構成の少なくとも一部を、他の前記実施形態の構成に対して付加又は置換してもよい。なお、実用新案登録請求の範囲に記載した文言によって特定される技術思想に含まれるあらゆる態様が本開示の実施形態である。
【符号の説明】
【００４９】
１…木材接続具            １Ａ…第１端部                  １Ｂ…第２端部
２…接続部                ３…第２嵌合部                  ４…第１嵌合部
６０…第２木材パーツ      ６７，８７…上面                ７１，９１…第２雌実部
７２，９２…第３雌実部    ７４，７５，９４，９５…側面    ８０…第１木材パーツ
９１Ａ，９２Ａ…凹部      １００…木材パーツ組
【図１】
0003217485.tif 000003
【図２】
0003217485.tif 000004
【図３】
0003217485.tif 000005
【図４】
0003217485.tif 000006